(57)【要約】【課題】セルの測定品質の評価を効率的に行うことによって、通信品質を向上させる端末装置、基地局装置、通信システム、測定方法および集積回路に関する技術を提供すること。【解決手段】端末装置は、セルの測定品質を比較する測定イベント条件の評価の際に、端末装置で推定される移動速度情報とセルの種別に基づいて測定イベント条件を変更し、変更した測定イベント条件の評価結果を基地局装置に報告する。【選択図】図３
2014146865.tif 000002
【特許請求の範囲】
【請求項１】
基地局装置と通信する端末装置であって、
セルの測定品質を比較する測定イベント条件の評価の際に、前記端末装置で推定される移動速度情報と前記セルの種別に基づいて前記測定イベント条件を変更し、変更した前記測定イベント条件の評価結果を前記基地局装置に報告することを特徴とする端末装置。
【請求項２】
基地局装置と通信する端末装置であって、
追加の測定イベント条件を適用するか否かを示す情報を受信し、セルの測定品質を比較する測定イベント条件の評価の際に、前記端末装置で推定される移動速度情報と前記セルの種別に基づいて前記追加の測定イベント条件の評価を行うことを特徴とする端末装置。
【請求項３】
前記追加の測定イベント条件は、異なる第１の条件と第２の条件を含むことを特徴とする請求項２に記載の端末装置。
【請求項４】
前記第１の条件は、オフセット値を加えた周辺セルの受信品質が、オフセット値を加えた在圏セルの受信品質を測定イベント評価時間で示される時間連続して上回ったかどうかを評価することを特徴とする請求項３に記載の端末装置。
【請求項５】
前記第１の条件は、オフセット値を加えた周辺セルの受信品質が、オフセット値を加えた在圏セルの受信品質を測定イベント評価時間で示される時間連続して下回ったかどうかを評価することを特徴とする請求項３に記載の端末装置。
【請求項６】
前記第２の条件は、オフセット値を加えた在圏セルの受信品質が、前記在圏セルに関する閾値を測定イベント評価時間で示される時間連続して上回ったかどうかを評価することを特徴とする請求項３に記載の端末装置。
【請求項７】
前記第２の条件は、オフセット値を加えた周辺セルの受信品質が、前記周辺セルに関する閾値を測定イベント評価時間で示される時間連続して上回ったかどうかを評価することを特徴とする請求項３に記載の端末装置。
【請求項８】
端末装置と通信する基地局装置であって、
前記端末装置によるセルの測定品質を比較する測定イベント条件の評価を開始させる際に、前記端末装置で推定される移動速度情報と前記セルの種別に基づいて前記測定イベント条件を変更するか否かを示す情報を設定して通知することを特徴とする基地局装置。
【請求項９】
端末装置と通信する基地局装置であって、
前記端末装置によるセルの測定品質を比較する測定イベント条件の評価を開始させる際に、前記端末装置で推定される移動速度情報と前記セルの種別に基づいて追加の測定イベント条件を適用するか否かを示す情報を設定して通知することを特徴とする基地局装置。
【請求項１０】
基地局装置と端末装置とが通信する通信システムであって、
前記基地局装置は、前記端末装置によるセルの測定品質を比較する測定イベント条件の評価を開始させる際に、前記端末装置で推定される移動速度情報と前記セルの種別に基づいて前記測定イベント条件を変更するか否かを示す情報を設定して通知し、
前記端末装置は、前記測定イベント条件を変更するか否かを示す情報を受信し、
前記測定イベント条件を変更するか否かを示す情報と、前記端末装置で推定される移動速度情報と、前記セルの種別とに基づいて前記測定イベント条件を変更し、変更した前記測定イベント条件の評価結果を前記基地局装置に報告することを特徴とする通信システム。
【請求項１１】
基地局装置と端末装置とが通信する通信システムであって、
前記基地局装置は、前記端末装置によるセルの測定品質を比較する測定イベント条件の評価を開始させる際に、前記端末装置で推定される移動速度情報と前記セルの種別に基づく追加の前記測定イベント条件を適用するか否かを示す情報を設定して通知し、
前記端末装置は、前記追加の測定イベント条件を適用するか否かを示す情報を受信し、
前記測定イベント条件を適用するか否かを示す情報と、前記端末装置で推定される移動速度情報と、前記セルの種別とに基づいて前記追加の測定イベント条件の評価を行うことを特徴とする通信システム。
【請求項１２】
基地局装置と通信する端末装置の測定方法であって、
セルの測定品質を比較する測定イベント条件の評価の際に、前記端末装置で推定される移動速度情報と前記セルの種別に基づいて前記測定イベント条件を変更するステップと、変更した前記測定イベント条件の評価結果を前記基地局装置に報告するステップを具備することを特徴とする測定方法。
【請求項１３】
基地局装置と通信する端末装置の測定方法であって、
追加の測定イベント条件を適用するか否かを示す情報を受信するステップと、セルの測定品質を比較する測定イベント条件の評価の際に、前記端末装置で推定される移動速度情報と前記セルの種別に基づいて前記追加の測定イベント条件の評価を行うステップを具備することを特徴とする測定方法。
【請求項１４】
基地局装置と通信する端末装置に搭載される集積回路であって、
セルの測定品質を比較する測定イベント条件の評価の際に、前記端末装置で推定される移動速度情報と前記セルの種別に基づいて前記測定イベント条件を変更する機能と、変更した前記測定イベント条件の評価結果を前記基地局装置に報告する機能を前記端末装置に発揮させることを特徴とする集積回路。
【請求項１５】
基地局装置と通信する端末装置に搭載される集積回路であって、
追加の測定イベント条件を適用するか否かを示す情報を受信する機能と、セルの測定品質を比較する測定イベント条件の評価の際に、前記端末装置で推定される移動速度情報と前記セルの種別に基づいて前記追加の測定イベント条件の評価を行う機能を前記端末装置に発揮させることを特徴とする集積回路。
【発明の詳細な説明】
【技術分野】
【０００１】
本発明の実施形態は、セルの測定品質の評価を効率的に行うことによって、通信品質を向上させる端末装置、基地局装置、通信システム、測定方法および集積回路の技術に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡに対して上位互換性を持つＡｄｖａｎｃｅｄ  ＥＵＴＲＡの議論を行っている。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの議論が行われている。ヘテロジニアスネットワークを前提とした通信システムでは、従来の通信システムを前提とした端末装置の移動性制御（ｍｏｂｉｌｉｔｙ  ｃｏｎｔｒｏｌ）機能が正しく動作しない可能性ある。
【０００４】
例えば、端末装置がセル半径の大きいセル（例えば、マクロセル）とセル半径の小さいセル（スモールセル（例えば、ピコセル））との間を、ハンドオーバーを行うことによってセル間を移動するとき（在圏セルを変更するとき）、高速に移動する端末装置のハンドオーバーの失敗確率は、低速、または中速で移動する端末装置よりも増加することが非特許文献１で示されている。
【０００５】
この問題を解決するため、非特許文献２には、特に端末装置がセル半径の小さいセルからセル半径の大きいセルへ移動する際のハンドオーバーの失敗確率が多いことに注目し、ハンドオーバーターゲットのセルの種別（タイプ）に応じてイベント固有のオフセット値を適用する、またはハンドオーバー評価時間のスケーリングを行うことを提案している。
【先行技術文献】
【非特許文献】
【０００６】
【非特許文献１】Ｒ２−１２２８０４，  Ｉｎｔｅｌ  Ｃｏｒｐｏｒａｔｉｏｎ，  Ｐｒａｇｕｅ，  Ｃｚｅｃｈ，  Ｍａｙ  ２１ｓｔ  −  ２５ｔｈ  ２０１２．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７８／Ｄｏｃｓ／
【非特許文献２】Ｒ２−１２３３４３，  ＣＡＴＴ，  ＣＡＴＲ，  Ｑｉｎｇｄａｏ，  Ｐ．Ｒ．Ｃｈｉｎａ，  Ａｕｇｕｓｔ  １３ｔｈ  −  １７ｔｈ，  ２０１２．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７９／Ｄｏｃｓ／
【発明の概要】
【発明が解決しようとする課題】
【０００７】
在圏セルから別の周辺セルへ端末装置がハンドオーバーする場合、ハンドオーバートリガの促進または抑制のために実際の測定品質に対してオフセット値を加算することができる。すなわち、非特許文献２のように、ハンドオーバーターゲットのセルの種別（タイプ）に応じて一律的にイベント固有のオフセット値を適用する方法は、同種のセルで構成されるネットワークでは有効であると考えられるが、一方で、ヘテロジニアスネットワークのように異種のセルで構成されるネットワークにおいては、同じセルの種別であってもオフセット値はセル毎に異なることが予想される。
【０００８】
つまり、ハンドオーバーターゲットのセルの種別（タイプ）に応じて一律的にイベント固有のオフセット値を適用する方法は、構成するセルに対して例えば６ｄＢ（デシベル）を超えるような大きなオフセット値が設定されているような場合、その効果が低くなるという問題があった。
【０００９】
上記の課題を鑑みて、本発明の実施形態の目的は、セルの測定品質の評価を効率的に行うことによって、通信品質を向上させる端末装置、基地局装置、通信システム、測定方法および集積回路に関する技術を提供することを目的とする。
【課題を解決するための手段】
【００１０】
（１）上記の目的を達成するために以下のような手段を講じた。すなわち、本発明の実施形態における端末装置は、基地局装置と通信する端末装置であって、セルの測定品質を比較する測定イベント条件の評価の際に、前記端末装置で推定される移動速度情報と前記セルの種別に基づいて前記測定イベント条件を変更する手段と、変更した前記測定イベント条件の評価結果を前記基地局装置に報告する手段とを備える、基地局装置と端末装置とが通信する通信システムにおける端末装置である。
【００１１】
（２）また、本発明の実施形態における端末装置は、基地局装置と通信する端末装置であって、追加の測定イベント条件を適用するか否かを示す情報を受信する手段と、セルの測定品質を比較する測定イベント条件の評価の際に、前記端末装置で推定される移動速度情報と前記セルの種別に基づいて前記追加の測定イベント条件の評価を行う手段を備える、基地局装置と端末装置とが通信する通信システムにおける端末装置である。
【００１２】
これにより、端末装置は、変更した測定イベント条件を用いてセルを測定するため、測定品質の評価を効率的に行うことができ、通信品質を向上させることができる。
【００１３】
（３）また、本発明の実施形態における基地局装置は、端末装置と通信する基地局装置であって、前記端末装置によるセルの測定品質を比較する測定イベント条件の評価を開始させる際に、前記端末装置で推定される移動速度情報と前記セルの種別に基づいて前記測定イベント条件を変更するか否かを示す情報を設定して通知する手段を備える、基地局装置と端末装置とが通信する通信システムにおける基地局装置である。
【００１４】
（４）また、本発明の実施形態における基地局装置は、端末装置と通信する基地局装置であって、前記端末装置によるセルの測定品質を比較する測定イベント条件の評価を開始させる際に、前記端末装置で推定される移動速度情報と前記セルの種別に基づいて追加の測定イベント条件を適用するか否かを示す情報を設定して通知する手段を備える、基地局装置と端末装置とが通信する通信システムにおける基地局装置である。
【００１５】
これにより、基地局装置は、端末装置に対して変更した測定イベント条件を用いてセルを測定させるので、測定品質の評価を効率的に行わせることができ、通信品質を向上させることができる。
【００１６】
（５）また、本発明の実施形態における通信システムは、基地局装置と端末装置とが通信する通信システムであって、前記基地局装置は、前記端末装置によるセルの測定品質を比較する測定イベント条件の評価を開始させる際に、前記端末装置で推定される移動速度情報と前記セルの種別に基づいて前記測定イベント条件を変更するか否かを示す情報を設定して通知する手段を備え、前記端末装置は、前記測定イベント条件を変更するか否かを示す情報を受信する手段と、前記測定イベント条件を変更するか否かを示す情報と、前記端末装置で推定される移動速度情報と、前記セルの種別とに基づいて前記測定イベント条件を変更する手段と、変更した前記測定イベント条件の評価結果を前記基地局装置に報告する手段を備える通信システムである。
【００１７】
（６）また、本発明の実施形態における通信システムは、基地局装置と端末装置とが通信する通信システムであって、前記基地局装置は、前記端末装置によるセルの測定品質を比較する測定イベント条件の評価を開始させる際に、前記端末装置で推定される移動速度情報と前記セルの種別に基づく追加の前記測定イベント条件を適用するか否かを示す情報を設定して通知する手段を備え、前記端末装置は、前記追加の測定イベント条件を適用するか否かを示す情報を受信する手段と、前記測定イベント条件を適用するか否かを示す情報と、前記端末装置で推定される移動速度情報と、前記セルの種別とに基づいて前記追加の測定イベント条件の評価を行う手段を備える通信システムである。
【００１８】
これにより、基地局装置は、端末装置に対して変更した測定イベント条件を用いてセルを測定させ、端末装置は、変更した測定イベント条件を用いてセルを測定するため、測定品質の評価を効率的に行うことができ、通信品質を向上させることができる。
【００１９】
（７）また、本発明の実施形態における測定方法は、基地局装置と通信する端末装置の測定方法であって、セルの測定品質を比較する測定イベント条件の評価の際に、前記端末装置で推定される移動速度情報と前記セルの種別に基づいて前記測定イベント条件を変更するステップと、変更した前記測定イベント条件の評価結果を前記基地局装置に報告するステップとを備える、基地局装置と端末装置とが通信する通信システムにおける端末装置の測定方法である。
【００２０】
（８）また、本発明の実施形態における測定方法は、基地局装置と通信する端末装置の測定方法であって、追加の測定イベント条件を適用するか否かを示す情報を受信するステップと、セルの測定品質を比較する測定イベント条件の評価の際に、前記端末装置で推定される移動速度情報と前記セルの種別に基づいて前記追加の測定イベント条件の評価を行うステップとを備える、基地局装置と端末装置とが通信する通信システムにおける端末装置の測定方法である。
【００２１】
これにより、端末装置の測定方法は、変更した測定イベント条件を用いてセルを測定する測定方法となるため、測定品質の評価を効率的に行うことができ、通信品質を向上させることができる。
【００２２】
（９）また、本発明の実施形態における集積回路は、基地局装置と通信する端末装置に搭載される集積回路であって、セルの測定品質を比較する測定イベント条件の評価の際に、前記端末装置で推定される移動速度情報と前記セルの種別に基づいて前記測定イベント条件を変更する機能と、変更した前記測定イベント条件の評価結果を前記基地局装置に報告する機能とを前記端末装置に発揮させる機能とを備える、基地局装置と端末装置とが通信する通信システムにおける端末装置の集積回路である。
【００２３】
（１０）また、本発明の実施形態における集積回路は、基地局装置と通信する端末装置に搭載される集積回路であって、追加の測定イベント条件を適用するか否かを示す情報を受信する機能と、セルの測定品質を比較する測定イベント条件の評価の際に、前記端末装置で推定される移動速度情報と前記セルの種別に基づいて前記追加の測定イベント条件の評価を行う機能とを前記端末装置に発揮させる機能とを備える、基地局装置と端末装置とが通信する通信システムにおける端末装置の集積回路である。
【００２４】
これにより、端末装置の集積回路は、変更した測定イベント条件を用いてセルを測定する機能を端末装置に発揮させるため、測定品質の評価を効率的に行うことができ、通信品質を向上させることができる。
【００２５】
本明細書では、効率的なセルの測定品質の評価を実現する端末装置、基地局装置、通信システム、測定方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。
【００２６】
例えば、本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、およびその他のシステム等の、種々の通信システムにおいて使用され得る。また、本明細書において、システムとネットワークは同義的に使用され得る。
【００２７】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。
【００２８】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００２９】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、異なる周波数帯域幅でも構わない。また、後方互換性のないコンポーネントキャリア（キャリアタイプ）であってもよい。なお、基地局装置が端末装置に割り当てる（設定する、追加する）上りリンクコンポーネントキャリアの数は、下りリンクコンポーネントキャリアの数と同じか少ないことが望ましい。
【００３０】
無線リソース要求のための上りリンク制御チャネル設定の行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順などを行う一方、セカンダリセルではこれらを行わない。
【００３１】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【発明の効果】
【００３２】
本発明の実施形態によれば、セルの測定品質の評価を効率的に行うことによって、通信品質を向上させる端末装置、基地局装置、通信システム、測定方法および集積回路に関する技術を提供することが出来る。
【図面の簡単な説明】
【００３３】
【図１】本発明の実施形態に係る端末装置の概略構成の一例を示すブロック図である。
【図２】本発明の実施形態に係る基地局装置の概略構成の一例を示すブロック図である。
【図３】本発明の実施形態に係る端末装置の測定処理部の概略構成の一例を示すブロック図である。
【図４】本発明の第１の実施形態に係る端末装置の測定イベント条件に関するパラメータの調整方法について説明するための図である。
【発明を実施するための形態】
【００３４】
本発明の各実施形態に関わる技術について以下に簡単に説明する。
【００３５】
[物理チャネル／物理シグナル]
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００３６】
ＥＵＴＲＡおよびＡｄｖａｎｃｅｄ  ＥＵＴＲＡでは、物理チャネル／物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３７】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３８】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。
【００３９】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、共通無線リソース設定情報などが通知される。
【００４０】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りセル固有ＲＳを使用する。セル固有ＲＳに使用される系列は、セル毎に識別可能な系列が用いられる。
【００４１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置毎に個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネル補償処理のために参照される。
【００４２】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信され、端末装置に対して基地局装置のスケジューリングに従った無線リソース割り当て情報や、送信電力の増減の調整量を指示する目的で使用される。
【００４３】
端末装置は、下りリンクデータや下りリンク制御データであるレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、前述したＯＤＦＭシンボルで送信される以外に、基地局装置から端末装置に対して個別（ｄｅｄｉｃａｔｅｄ）に割り当てられるリソースブロックの領域で送信されるように構成することも可能である。
【００４４】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求）であるスケジューリングリクエスト（ＳＲ；Ｓｃｈｅｄｕｌｉｎｇ  Ｒｅｑｕｅｓｔ）を行なうために使用される。
【００４５】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００４６】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４７】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクと同様に物理上りリンク共用チャネルの無線リソース割り当て情報は、物理下りリンク制御チャネルで示される。
【００４８】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的サウンディング参照信号（Ｐｅｒｉｏｄｉｃ  ＳＲＳ）と非周期的サウンディング参照信号（Ａｐｅｒｉｏｄｉｃ  ＳＲＳ）とがある。
【００４９】
物理ランダムアクセスチャネル（PRACH; Physical Random Access Channel）は、プリアンブル系列を通知（設定）するために使用されるチャネルであり、ガードタイムを有する。プリアンブル系列は、６４種類のシーケンスを用意して６ビットの情報を表現するように構成されている。物理ランダムアクセスチャネルは、端末装置の基地局装置へのアクセス手段として用いられる。端末装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するために物理ランダムアクセスチャネルを用いる。
【００５０】
具体的には、端末装置は、基地局装置より設定された物理ランダムアクセスチャネルの無線リソースを用いてプリアンブル系列を送信する。送信タイミング調整情報を受信した端末装置は、報知情報によって共通的に設定される（またはレイヤ３メッセージで個別に設定される）送信タイミング調整情報の有効時間を計時する送信タイミングタイマー（ＴＡ  ｔｉｍｅｒ）を設定し、送信タイミングタイマーの有効時間中（計時中）は送信タイミング調整状態、有効期間外（停止中）は送信タイミング非調整状態（送信タイミング未調整状態）として上りリンクの状態を管理する。
【００５１】
レイヤ３メッセージは、端末装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義的に使用され得る。なお、それ以外の物理チャネルは、本発明の各実施形態に関わらないため詳細な説明は省略する。
【００５２】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数に混在して一つの通信システムを形成している無線ネットワークのことを、ヘテロジニアスネットワークと称する。基地局装置が複数のセルを管理していてもよい。
【００５３】
端末装置は、セルの中を通信エリアとみなして動作する。通信エリアの大きさは、基地局装置の送信電力の大きさによって決定される。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５４】
なお、キャリア・アグリゲーションは、複数のコンポーネントキャリア（周波数帯域）を用いた周波数の異なる複数のセルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることが出来る。
【００５５】
３ＧＰＰが規定する基地局装置はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定するＥＵＴＲＡおよびＡｄｖａｎｃｅｄ  ＥＵＴＲＡにおける端末装置はＵＥ（Ｕｓｅｒ  Ｅｑｕｉｐｍｅｎｔ）と称される。基地局装置は端末装置が該基地局装置で通信可能なエリアであるセルを周波数毎に管理する。セルは、端末装置と通信可能なエリアの大きさに応じてマクロセルやフェムトセルやピコセル、ナノセルとも称される。マクロセルに対し、エリアの小さいセルをスモールセルとも称する。また、端末装置がある基地局装置と通信可能であるとき、その基地局装置のセルのうち、端末装置との通信に使用しているセルは在圏セル（Serving cell）であり、その他のセルは周辺セル（Neighboring cell）と称される。
【００５６】
[測定イベント評価手順]
測定イベント評価手順は、端末装置があるセルに接続しているときに、端末装置に対して設定される測定設定（Measurement configuration）に設定される測定イベント情報に基づいて行われる。
【００５７】
より具体的には、端末装置は、接続しているある１つの在圏セルの受信品質（測定品質）と、その他のセル（周辺セル）の受信品質（測定品質）、または閾値とを比較し、ある１つの在圏セルの受信品質が測定イベント情報として設定される条件（測定イベント条件）を満たした場合、条件を満たした測定イベントの内容と、必要に応じて測定イベントの条件を満たしたセルについて基地局装置に報告する。一方、端末装置は、報告した（成立した）測定イベントが条件を満たさなくなったときに、基地局装置に対する測定イベントの報告を停止する。
【００５８】
端末装置は、複数の測定イベントの条件を同時に評価する。測定イベントを満たす条件とは、例えば、（１）ある１つの在圏セルの受信品質が設定された閾値を上回った、（２）ある１つの在圏セルの受信品質が設定された閾値を下回った、（３）周辺セルの受信品質が、ある１つの在圏セルの受信品質を上回った、（４）周辺セルの受信品質が設定された閾値を上回った、（５）ある１つの在圏セルの受信品質が設定された閾値を下回り、かつ、周辺セルの受信品質が設定された閾値を上回った、ことを示すための評価基準である。また、これ以外の測定イベントを評価するように構成されてもよい。
【００５９】
測定イベントを満たす条件として、（１）〜（５）が成り立つ連続時間を追加の条件として加えてもよい。連続時間は、基地局装置によって端末装置に設定される。この測定イベントのトリガまでの連続時間（測定イベント評価時間）のことをタイムトゥトリガー（Ｔｉｍｅ  Ｔｏ  Ｔｒｉｇｇｅｒ、ＴＴＴ）とも称する。
【００６０】
測定イベント評価時間を適用した場合の例を説明する。例えば前述した（１）の測定イベントの場合、端末装置は、ある１つの在圏セルの受信品質が設定された閾値を上回ったタイミングでは測定イベントが満たされたとは判断しない。代わりに、端末装置は、ある１つの在圏セルの受信品質が設定された閾値を上回ったタイミングを基点として測定イベント評価時間の計時を開始し、在圏セルの受信品質が当該測定イベント評価時間で示される時間に連続して閾値を上回っている場合、測定イベントが満たされたと判断する。端末装置は測定イベント評価時間が設定されている場合、他の測定イベントにおいても測定イベント評価時間を考慮した評価を同様に行う。
【００６１】
測定イベント評価時間は端末装置の推定速度（Ｍｏｂｉｌｉｔｙ  ｓｔａｔｅ  ｅｓｔｉｍａｔａｔｉｏｎ（ＭＳＥ）、移動性状態推定とも称する）を示す移動速度情報に基づいてスケーリング（Ｓｃａｌｉｎｇ、拡大または縮小）されてもよい。端末装置は、基地局装置から指定された時間あたりにハンドオーバーによって何回セルを変更したかによって、移動速度のレベル（低速、中速、高速）を推定し、移動速度情報として管理してもよい。スケーリングされる割合は、推定した移動速度情報によってそれぞれ異なっていても良い。例えば、ある時間Ｔ１の間にセルをＮ１回変更した場合、端末装置は、自装置の移動速度を高速と推定する。また、ある時間Ｔ１の間にセルをＮ２回以上Ｎ１回未満変更した場合、端末装置は、自装置の移動速度を中速と推定し、Ｎ２回未満であれば低速と推定する。さらに、別に指定された時間Ｔ２の間にＭ回以上セルを変更しなければ、端末装置は現在の速度をリセットし、低速であると推定する。
【００６２】
また、端末装置は、基地局装置から設定された場合、ある１つの在圏セルの受信品質（Ｍｐ）に対し、当該在圏セルの周波数固有のオフセット値（Ｏｆｐ）および当該在圏セル固有のオフセット値（Ｏｃｐ）を加えても良く、その他のセル（周辺セル）の受信品質（Ｍｎ）対し、当該周辺セルの周波数固有のオフセット値（Ｏｆｎ）および当該周辺セル固有のオフセット値（Ｏｃｎ）を加えても良い。
【００６３】
また、端末装置は、基地局装置から設定された場合、さらに測定イベント固有のオフセット値（Ｏｆｆ）をある１つの在圏セルの受信品質に対して加えても良い。すなわち、ある１つの在圏セルの受信品質（Ｍｐ）には、Ｏｆｐ、Ｏｃｐ、Ｏｆｆの３つのオフセット値を適用することができる。同様に、周辺セルの受信品質（Ｍｎ）には、Ｏｆｎ、Ｏｃｎの２つのオフセット値を適用することができる。
【００６４】
また、端末装置は、対象とするイベントに対してヒステリシスを加えてもよい。ヒステリシスとは、測定イベント条件の成立、または成立後の不成立のばたつきを防ぐ目的で適用される抑制値である。
【００６５】
ただし、同じ周波数のセルを比較する場合、すなわち周波数内測定（Intra-frequency measurements）の場合、端末装置は、周波数固有のオフセット値（Ｏｆｐ、Ｏｆｎ）を適用する必要はない。換言すれば、端末装置は、周波数固有のオフセット値（Ｏｆｐ、Ｏｆｎ）を周波数間測定（Inter-frequency measurements）の場合に適用する。
【００６６】
測定設定は、測定イベント情報を端末装置に設定するために用いられる複数の測定に関する設定情報である。測定設定は、測定識別子情報（Measurement ID）、測定対象識別子情報(Measurement objects ID)、測定対象情報(Measurement objects)、報告設定識別子情報(Reporting configuration ID)、報告設定情報(Reporting configuration)から構成される。測定対象識別子情報は、測定対象情報を指定および識別するためのインデックスである。また、報告設定識別子情報は、報告設定情報を指定および識別するためのインデックスである。
【００６７】
測定識別子情報は、測定対象情報と報告設定情報との対応付けを行うために用いられ、具体的には測定対象識別子情報と報告設定識別子情報とのリンク設定に対する識別子として用いられる。測定対象情報とは、端末装置が行う測定の対象となる周波数を指定するために用いられる。そして、報告設定情報とは、端末装置が行う測定イベントに関する測定イベント情報（測定イベント条件、測定イベント評価時間、速度関連情報、ヒステリシス、各オフセット値など）の設定を通知するために用いられる。
【００６８】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００６９】
＜第１の実施形態＞
本発明の第１の実施形態について以下に説明する。本実施形態は、端末装置に設定される測定イベントの評価を変更して適用する測定方法に関する。
【００７０】
図１は、本発明の第１の実施形態による端末装置１の一例を示すブロック図である。本端末装置１は、受信部１０１、復調部１０２、復号部１０３、測定処理部１０４、制御部１０５、上りリンクバッファ制御部１０６、符号部１０７、変調部１０８、送信部１０９、上りリンク無線リソース要求制御部１１０、ランダムアクセス制御部１１１、上位レイヤ１１２から構成される。上位レイヤ１１２は、無線リソース制御を執り行うＲＲＣ（Ｒａｄｉｏ  Ｒｅｓｏｕｒｃｅ  Ｃｏｎｔｒｏｌ）層の特定の機能を実現するブロックである。また、上りリンクバッファ制御部１０６、上りリンク無線リソース要求制御部１１０、ランダムアクセス制御部１１１は、データリンク層を管理するＭＡＣ（Ｍｅｄｉｕｍ  Ａｃｃｅｓｓ  Ｃｏｎｔｒｏｌ）層の特定の機能を実現するブロックである。
【００７１】
なお、端末装置１は、キャリア・アグリゲーションによって複数の周波数（周波数帯、周波数帯域幅）の同時受信をサポートするために受信系のブロック（受信部１０１、復調部１０２、復号部１０３）、および複数の周波数（周波数帯、周波数帯域幅）の同時送信をサポートするために送信系のブロック（符号部１０７、変調部１０８、送信部１０９）を複数備えてもよい。
【００７２】
受信に関し、上位レイヤ１１２より制御部１０５へ端末装置制御情報が入力される。端末装置制御情報は、受信制御情報と送信制御情報によって構成される端末装置１の無線通信制御に必要な情報であり、基地局装置２から個別に送信される無線接続リソース設定、セル固有の報知情報、またはシステムパラメータにより設定され、上位レイヤ１１２が必要に応じて制御部１０５へ入力する。制御部１０５は、受信に関する制御情報である受信制御情報を、受信部１０１、復調部１０２、復号部１０３へ適切に入力する。
【００７３】
受信制御情報は、受信周波数帯域の情報の他に、ＤＲＸ制御情報、各チャネルに関する受信タイミング、多重方法、無線リソース配置情報などの情報が含まれている。また、制御部１０５は、セルの測定に関する制御に必要となる測定設定情報を測定処理部１０４に入力する。測定設定情報は、端末装置１で測定した在圏セルおよび周辺セルの測定結果が、指定された測定イベントを満たしたかどうかの測定イベント判定のための測定イベント情報を含む情報である。また、測定設定情報は、端末装置１で測定した周辺セルの測定結果が、セル選択に関する選択基準を満たすか否かを判定するための周辺セル情報を含む情報である。
【００７４】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤ１１２へと入力する。各データは測定処理部１０４にも入力される。
【００７５】
また、測定処理部１０４は、検出した周辺セル（コンポーネントキャリア）の下りリンクリファレンスシグナルの受信品質（ＳＩＲ、ＳＩＮＲ、ＲＳＲＰ、ＲＳＲＱ、ＲＳＳＩ、パスロスなど）を測定し、必要な測定結果を生成する。ＲＳＲＰ（Reference Signal Received Power）は測定帯域幅における下りリンクリファレンスシグナルの受信電力の大きさ示す値（ｄＢｍ）であり、ＲＳＲＱ（Reference Signal Received Quality）は、測定帯域幅における下りリンクリファレンスシグナルの品質を示す値（ｄＢ）であり、測定帯域幅における下りリンクリファレンスシグナルの総受信電力（ＲＳＳＩ（Received Signal Strength Indicator））とＲＳＲＰとの比によって算出される。
【００７６】
測定処理部１０４は、測定結果を、設定された測定イベント情報に基づく測定イベントの成否を判定するセルの品質情報として用いる。また、測定処理部１０４は、測定結果を、設定された周辺セル情報に基づくセル選択またはセル再選択の選択基準のための品質情報として用いる。なお、測定に用いる信号は下りリンクリファレンスシグナルに限定されず、ＣＳＩ−ＲＳ等のセルの品質を測るために用いられる信号であれば別の信号を測定しても良い。
【００７７】
測定処理部１０４には、図３に示すように、在圏セルおよびセルサーチによって検出したセルの情報（物理セルＩＤやセルの受信品質、セルの種別（後述する））を含む周辺セル情報が格納される周辺セル情報管理部３０１と、上位レイヤ１１２から入力される測定イベント情報やセルの各測定パラメータ情報を格納する測定パラメータ管理部３０２と、周辺セル情報管理部３０１と測定パラメータ管理部３０２の情報に基づいて設定された測定イベントを評価する測定イベント評価部３０３とが少なくとも含まれる。
【００７８】
測定イベント評価部３０３は、入力された各々の情報に基づいて端末装置１が基地局装置２から設定された測定イベント条件が成立したかの判定（判断）を行う。換言すれば、端末装置１は、測定イベント条件が成立したか否かの判定（Entering condition、加入条件判定）を行う。そして、測定イベント評価部３０３は、測定イベント条件が成立した（満足した）セルの情報を、測定結果情報の一部である測定イベント結果情報に含めて上位レイヤ１１２へ入力する。
【００７９】
また、測定イベント評価部３０３は、一度成立した測定イベント条件が成立しなくなったかの判定（判断）を行う。換言すれば、端末装置１は、一度成立した測定イベント条件が、成立しなくなったか否かの判定（Leaving condition、離脱条件判定）を行う。そして、測定イベント評価部３０３は、測定イベント条件が不成立となったセルの情報を、測定結果情報の一部である測定イベント結果情報に含めて上位レイヤ１１２へ入力する。
【００８０】
また、送信に関し、上位レイヤ１１２より制御部１０５へ各ブロックを制御するための制御パラメータである端末装置制御情報が入力され、送信に関する制御情報である送信制御情報が、上りリンクバッファ制御部１０６、符号部１０７、変調部１０８、送信部１０９へ適切に入力される。送信制御情報は、送信信号の上りリンクスケジューリング情報として、ＤＴＸ制御情報、符号化情報、変調情報、送信周波数帯域の情報、各チャネルに関する送信タイミング、多重方法、無線リソース配置情報などの情報が含まれている。
【００８１】
上位レイヤ１１２からランダムアクセス制御部１１１にランダムアクセス設定情報が入力される。ランダムアクセス設定情報には、プリアンブル情報や物理ランダムアクセスチャネル送信用の無線リソース情報（電力調整パラメータや、最大プリアンブル再送回数など）などが含まれる。また、上位レイヤ１１２は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信制御情報に含まれる。
【００８２】
なお、複数の上りリンク送信タイミングの状態を管理する必要がある場合、上位レイヤ１１２は、複数のそれぞれのセル（またはセルグループ、ＴＡグループ）の上りリンク送信タイミングに対応する送信タイミング調整情報を管理する。
【００８３】
生起した送信データ（上りリンクデータと上りリンク制御データ）は、上位レイヤ１１２より任意のタイミングで上りリンクバッファ制御部１０６に入力される。このとき、上りリンクバッファ制御部１０６は、入力された送信データの量（上りリンクバッファ量）を計算する。上りリンク無線リソース要求制御部１１０には、上位レイヤ１１２よりリソース要求設定情報が設定される。リソース要求設定情報には、少なくとも送信カウンタ設定情報と無線リソース要求禁止タイマー情報とが含まれている。また、上りリンクバッファ制御部１０６は、上りリンクバッファ制御部１０６に送信データが入力されたときに、送信データの発生を上りリンク無線リソース要求制御部１１０へ通知することによって、上りリンクバッファに送信データが存在することを知らせる。
【００８４】
上りリンク無線リソース要求制御部１１０は、入力された送信データの送信に必要な無線リソースが割り当てられているかを判断する。上りリンク無線リソース要求制御部１１０は、無線リソース割り当てに基づいて、物理上りリンク共用チャネルＰＵＳＣＨ、物理上りリンク制御チャネルによる無線リソース要求（ＳＲ−ＰＵＣＣＨ）、または物理ランダムアクセスチャネルのいずれか一つを選択し、選択したチャネルを送信するための制御処理を符号部１０７および／またはランダムアクセス制御部１１１に対して要求する。
【００８５】
すなわち、すでに無線リソースが割り当てられており、送信データを物理上りリンク共用チャネルＰＵＳＣＨで送信可能な状態であるとき、符号部１０７は、上りリンク無線リソース要求制御部１１０の指示に従って割り当て済みの無線リソースに対応する送信データを上りリンクバッファ制御部１０６から取得して符号化し、変調部１０８に出力する。または、無線リソースが割り当てられていないときで、物理上りリンク制御チャネルによる無線リソース要求（ＳＲ−ＰＵＣＣＨ）が可能であるとき、符号部１０７は、上りリンク無線リソース要求制御部１１０の指示に従ってＳＲ−ＰＵＣＣＨの送信に必要な制御データを符号化し、変調部１０８に出力する。
【００８６】
または、無線リソースが割り当てられていないときで、物理上りリンク制御チャネルによる無線リソース要求（ＳＲ−ＰＵＣＣＨ）が不可能であるとき、符号部１０７は、ランダムアクセス制御部１１１に対してランダムアクセス手順の開始を指示する。このとき、符号部１０７は、ランダムアクセス制御部１１１から入力されるランダムアクセスデータ情報に基づき物理ランダムアクセスチャネルで送信されるプリアンブル系列を生成する。また、符号部１０７は送信制御情報に従い、各データを適切に符号化し、変調部１０８に出力する。
【００８７】
変調部１０８は、符号部１０７からの出力を送信するチャネル構造に基づいて適切に変調処理を行う。送信部１０９は、変調部１０８の出力を周波数領域にマッピングすると共に、周波数領域の信号を時間領域の信号へ変換し、既定の周波数の搬送波にのせて電力増幅を行う。送信部１０９は、また、上位レイヤ１１２より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００８８】
図１において、その他の端末装置１の構成要素は省略してあるが、端末装置１として動作するために必要なその他の機能を有する複数のブロックを構成要素として持つことは明らかである。
【００８９】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ２０８、ネットワーク信号送受信部２０９から構成される。なお、基地局装置２は、複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備えてもよい。
【００９０】
上位レイヤ２０８は、下りリンクデータと下りリンク制御データを符号部２０５へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００９１】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ２０８へと出力する。
【００９２】
これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置、ＯＡＭ）やシステムパラメータにより設定され、上位レイヤ２０８が必要に応じて制御部２０４へ入力する。
【００９３】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００９４】
一方、ネットワーク信号送受信部２０９は、基地局装置２間あるいは上位のネットワーク装置と基地局装置２との間の制御メッセージ、またはユーザデータの送信（転送）または受信を行なう。図２において、その他の基地局装置２の構成要素は省略してあるが、基地局装置２として動作するために必要なその他の機能を有する複数のブロックを構成要素として持つことは明らかである。
【００９５】
本発明の第１の実施形態に関する測定イベント処理方法について説明する。端末装置１は、ある基地局装置２と通信中において、周辺セルに対する測定イベントを評価する際に以下の測定イベント処理を行うように構成される。
【００９６】
端末装置１は、在圏セルおよび／または測定しているセルの種別について判断を行う。キャリア・アグリゲーションによって複数の在圏セル（プライマリセル、セカンダリセル）が設定されている場合、端末装置１は、在圏セルのうち、プライマリセルを対象とした測定イベント条件を評価する場合は、プライマリセルを判断に用いるセルとしてもよい。一方、端末装置１は、在圏セルのうち、セカンダリセルを対象とした測定イベント条件を評価する場合は、セカンダリセルを判断に用いるセルとしてもよい。
【００９７】
セルの種別とは、セルの大きさ（サイズ、半径）を示す情報である。例えば、セルの種別は、大セル（マクロセル）と小セル（スモールセル）に分類される。端末装置１は、セルの種別をマクロセルか否かを示す情報によって判断する。または、端末装置１は、セルの種別をスモールセルか否かを示す情報によって判断する。または、端末装置１は、セルの種別を物理セルＩＤによって判断する。または、端末装置１は、セルの種別を周波数バンド番号によって判断する。端末装置１は、在圏セルの種別と、周辺セルの種別とを内部情報として保持し、測定イベントを評価する際に用いる。これらセルの大きさに関する情報は、報知情報によって通知されてもよいし、基地局装置から端末装置１に対して個別に通知されても良い。
【００９８】
マクロセルか否かを示す情報、または、スモールセルか否かを示す情報は、周辺のセルリストを示す周辺セルリスト情報を拡張し、リスト内のセルごと（あるいはセルグループごと、または周波数ごと）にセル種別を示す情報を追加することで端末装置１に通知されても良い。
【００９９】
なお、基地局装置２から通知されていないなどの理由で、端末装置１が検出する周辺セルのセル種別の情報を保持していない場合は、検出したセルを予め既定されたセル種別（マクロセルあるいはスモールセル）と判断するようにしてもよい。
【０１００】
また、端末装置１は、測定するセルの物理セルＩＤに基づいて、マクロセルとスモールセルを分類することもできる。すなわち、マクロセルのセルグループを示す物理セルＩＤグループ１と、スモールセルのセルグループを示す物理セルＩＤグループ２とを分類する情報が基地局装置から端末装置１に対して設定される。
【０１０１】
また、端末装置１は、測定イベントを評価するときに自装置の移動速度情報について推定しておく。移動速度情報は、低速、中速、高速のように複数のレベルに分類されてもよい。
【０１０２】
図４は、自装置の移動速度情報を高速であると推定した端末装置１における在圏セル（ソースセル）および周辺セル（ターゲットセル）のセル種別と、調整を行うパラメータについて示した図である。
【０１０３】
図４に示すように、推定した自装置の移動速度情報が高速である場合、端末装置１は、在圏セルの種別がマクロセルであって、測定イベントの評価の対象となる周辺セルがスモールセルである場合、該周辺セルに関するパラメータ調整を行って測定イベントの評価を行う。周辺セルに関するパラメータ調整とは、設定された測定イベント評価のための各種パラメータ（オフセット値）に対して調整を行うことを示す。より具体的には、端末装置１は、推定した自装置の移動速度情報が高速の場合であって、ある１つの在圏セルの種別がマクロセルかつ周辺セルの種別がスモールセルであるとき、在圏セルの受信品質（Ｍｐ）に対する在圏セル固有のオフセット値（Ｏｃｐ）を適用する一方、セル種別がスモールセルと判定された周辺セルの受信品質（Ｍｎ）対し、当該周辺セル固有のオフセット値（Ｏｃｎ）を適用しないように測定イベントの評価方法を変更する。
【０１０４】
一方、推定した自装置の移動速度情報が高速であっても、端末装置１は、在圏セルの種別がマクロセルであって、かつ、測定イベントの評価の対象となる周辺セルがマクロセルである場合、該周辺セルに関するパラメータ調整を行わず、設定されたパラメータに基づいて測定イベント条件の評価を行う。
【０１０５】
図４に示したパラメータ調整以外の方法として、例えば、端末装置１は、在圏セル固有のオフセット値（Ｏｃｐ）を別に指定されたオフセット値に変更する。または、端末装置１は、在圏セル固有のオフセット値（Ｏｃｐ）に対し、指定されたスケーリング値を適用することで値を変更する。この場合、指定されたスケーリング値は、在圏セル（マクロセル）の受信品質を実際よりも良好なものとして評価されるように設定される。または、端末装置１は、周辺セル固有のオフセット値（Ｏｃｎ）に対し、指定されたスケーリング値を適用することで値を変更する。指定されたスケーリング値は、周辺セル（スモールセル）の受信品質を実際よりも劣悪なものとして評価されるように設定される。
【０１０６】
図４に戻り、推定した自装置の移動速度情報が高速である場合、端末装置１は、在圏セルの種別がスモールセルであって、測定イベントの評価の対象となる周辺セルがマクロセルである場合、在圏セルに関するパラメータ調整を行い、測定イベントの評価を行う。在圏セルに関するパラメータ調整とは、小セル配置に適応して設定された測定イベント評価のための各種パラメータに対して調整を行い、別の値に変更した後に適用することを示す。より具体的には、端末装置１は、在圏セルの種別がスモールセルであり、かつ、推定した自装置の移動速度情報が高速である場合、ある１つの在圏セルの受信品質（Ｍｐ）に対する在圏セル固有のオフセット値（Ｏｃｐ）を適用しない一方、その他のセル（周辺セル）の受信品質（Ｍｎ）対し、当該周辺セル固有のオフセット値（Ｏｃｎ）を適用するように測定イベントの評価方法を変更する。
【０１０７】
図４に示したパラメータ調整以外の方法として、例えば、端末装置１は、周辺セル固有のオフセット値（Ｏｃｎ）を別に指定されたオフセット値に変更する。または、端末装置１は、周辺セル固有のオフセット値（Ｏｃｎ）に対し、指定されたスケーリング値を適用することで値を変更する。この場合、指定されたスケーリング値は、周辺セル（マクロセル）の受信品質を実際よりも良好なものとして評価されるように設定される。または、端末装置１は、在圏セル固有のオフセット値（Ｏｃｐ）に対し、指定されたスケーリング値を適用することで値を変更する。指定されたスケーリング値は、在圏セル（スモールセル）の受信品質を実際よりも劣悪なものとして評価されるように設定される。
【０１０８】
一方、推定した自装置の移動速度情報が高速であっても、端末装置１は、在圏セルの種別がスモールセルであって、かつ、測定イベントの評価の対象となる周辺セルがスモールセルである場合、該周辺セルに関するパラメータ調整を行わず、設定されたパラメータに基づいて測定イベント条件の評価を行う。
【０１０９】
なお、端末装置１は、移動速度情報が高速の場合に限らず、低速以外の場合に（すなわち、高速または中速である場合に）在圏セルに関するパラメータ調整を行ったうえで、測定イベントの評価を行ってもよい。
【０１１０】
基地局装置２は、ある端末装置１と通信中において、周辺セルに対する測定イベントを評価させる際に以下の測定イベント処理を行うように構成される。基地局装置２は、端末装置１に対して測定イベント条件に用いるパラメータ値の調整が必要か否かを通知する。例えば、基地局装置２は、端末装置１に測定設定を設定する際に、測定設定に測定イベント条件に用いるパラメータ値の調整の開始を意味する追加の情報を明示的に設定してもよい。追加の情報は、１ビットで示される情報（例えばＴｒｕｅ／Ｆａｌｓｅ）であってもよく、セットアップを示す情報であってもよい。または、基地局装置２は、端末装置１に測定設定を設定する際に、スモールセルを判定可能な情報を設定することによって、端末装置１に対して暗黙的に測定イベント条件に用いるパラメータ値の調整が必要であることを通知してもよい。
【０１１１】
このように構成することよって、端末装置１は、セルの種別に基づいて測定イベントの評価に用いるパラメータを変更して適用することによって、ヘテロジニアスネットワークに対応した効率的な測定を行うことができ、基地局装置２へ報告するセルが適切に判断される。すなわち、端末装置１は、マクロセルに在圏している場合、スモールセルに対する測定イベント条件の成立が抑制され、高速移動中にマクロセルからスモールセルへハンドオーバーすることによるハンドオーバー失敗確率を低減することができる。また、端末装置１は、スモールセルに在圏している場合、マクロセルに対する測定イベント条件の成立が推進され、高速移動中にスモールセルからマクロセルへハンドオーバーすることによるハンドオーバー失敗確率を低減することができる。
【０１１２】
なお、端末装置１は次のように構成されてもよい。例えば、端末装置１が測定イベントの条件を評価する際に、端末装置１によって推定された移動速度情報が高速であり、かつ、評価の対象となる周辺セルが在圏セルと異なるセル種別の場合、セル種別がスモールセルとなるセルのセル固有オフセット値は、測定イベントの条件の評価には用いられないようにパラメータ調整を行うように構成されてもよい。換言すれば、端末装置１が測定イベントの条件を評価する際に、端末装置１によって推定された移動速度情報が高速ではない場合、あるいは、評価の対象となる周辺セルが在圏セルと同じセル種別の場合は、測定イベントの評価に関するパラメータ調整を行わない。
【０１１３】
本実施形態の端末装置１は、自装置の状態に応じて設定されたパラメータを変更して適用することによって、測定イベント条件をマクロセル以外のセルが配置されるネットワーク（ヘテロジニアスネットワーク）に対応させることが可能となる。また、本実施形態の基地局装置２は、端末装置１に対してパラメータの変更を行うか否かを示す情報を送信し、変更した測定イベント条件のパラメータを端末装置１に適用させることによって、測定イベント条件をマクロセル以外のセルが配置されるネットワークに対応させることが可能となる。
【０１１４】
第１の実施形態によれば、端末装置１は、基地局装置２から設定された情報に基づいて自装置の状態に応じてパラメータを変更して適用することによって基地局装置２へハンドオーバー先のセルとして相応しくないセルを報告する可能性を低減することができる。また、基地局装置２は、端末装置１に対して自局装置の周辺セルの環境に基づいた効率的な測定イベント条件の評価を実行させることが可能となるため、端末装置１がハンドオーバー先のセルとして相応しくないセルを報告してくる可能性を低減させることができる。そのため、端末装置１がハンドオーバー先のセルへアクセスする際のハンドオーバー成功確率が向上し、通信品質を向上することができる。
【０１１５】
＜第２の実施形態＞
本発明の第２の実施形態について以下に説明する。
【０１１６】
本発明の第２の実施形態に関する測定イベント処理方法として、追加の（新規の）測定イベント条件を用いる方法について説明する。端末装置１は、ある基地局装置２と通信中において、周辺セルに対する測定イベントを評価する際に以下の測定イベント処理を開始する。
【０１１７】
端末装置１は、周辺セルがスモールセルである場合、周辺セルの受信品質を評価する際に、周辺セルの受信品質がある１つの在圏セルの受信品質を上回ったかどうかを評価する第１の条件と、在圏セルの受信品質がある閾値を下回ったかどうかを評価する第２の条件の両方を用いる。
【０１１８】
周辺セルの受信品質とは、周辺セルを測定して得られた測定結果に対して設定されたセル固有のオフセット値、周波数固有のオフセット値、ヒステリシス、測定イベント固有のオフセット値を全て適用したものと解釈する。同様に、在圏セルの受信品質とは、在圏セルを測定して得られた測定結果に対して設定されたセル固有のオフセット値、周波数固有のオフセット値、測定イベント固有のオフセット値およびヒステリシスを全て適用したものと解釈する。
【０１１９】
第１の条件について、周辺セルの受信品質がＭｎ１、在圏セルの受信品質がＭｐ１であるとき、端末装置１は、測定イベント評価時間（ＴＴＴ）で示される時間連続してＭｎ１＞Ｍｐ１となったかどうかを評価する。Ｍｎ１の測定結果は、ＲＳＲＰまたはＲＳＲＱで示される。
【０１２０】
第２の条件について、在圏セルの受信品質がＭｐ２であり、Ｍｐ２に対する閾値がＴＨであるとき、端末装置１は、測定イベント評価時間（ＴＴＴ）で示される時間連続してＭｐ２＜ＴＨとなったかどうかを評価する。Ｍｐ２の測定結果は、ＲＳＲＱで示される。
【０１２１】
また、第２の条件は別の形態であってもよい。例えば、第２の条件について、周辺セルの受信品質がＭｎ２であり、Ｍｎ２に対する閾値がＴＨであるとき、端末装置１は、測定イベント評価時間（ＴＴＴ）で示される時間連続してＭｎ２＞ＴＨとなったかどうかを評価する。Ｍｎ２の測定結果は、ＲＳＲＱで示される。第２の条件を加えることによって、端末装置１は、セル間の下りリンクリファレンスシグナルの受信電力の大きさだけではなく、実際のセルの受信品質についても評価を行うことが可能となり、受信電力が良好であるが品質の悪いセルへのハンドオーバーが抑止されことになる。
【０１２２】
端末装置１は、第１の条件と第２の条件が共に満たされたときに、測定イベント条件が成立したと判断し、測定イベントの成立を基地局装置２に対して報告する。また、端末装置１は、第１の条件または第２の条件のどちらか一方が条件を満たさなくなったときに、測定イベント条件が不成立になったと判断し、測定イベントの不成立を基地局装置２に対して報告する。
【０１２３】
第１の条件と第２の条件を含む測定イベント条件は、周辺セルのセル種別がスモールセルである場合に適用される。または、第１の条件と第２の条件を含む測定イベント条件は、周辺セルのセル種別がスモールセルであり、かつ、端末装置１の移動速度情報が高速である場合に適用される。または、第１の条件と第２の条件を含む測定イベント条件は、在圏セルのセル種別がマクロセルである場合に適用される。または、第１の条件と第２の条件を含む測定イベント条件は、在圏セルのセル種別がマクロセルであり、かつ、端末装置１の移動速度情報が高速である場合に適用される。または、第１の条件と第２の条件を含む測定イベント条件は、在圏セルと周辺セルのセル種別が異なる場合に適用される。または、第１の条件と第４の条件を含む測定イベント条件は、在圏セルと周辺セルのセル種別が異なる場合で、かつ、端末装置１の移動速度情報が高速である場合に適用される。
【０１２４】
更に、端末装置１は、在圏セルがスモールセルである場合、周辺セルの受信品質を評価する際に、周辺セルの受信品質がある１つの在圏セルの受信品質を上回ったかどうかを評価する第３の条件と、周辺セルの受信品質がある閾値を上回ったかどうかを評価する第４の条件の両方を用いる。
【０１２５】
第３の条件について、周辺セルの受信品質がＭｎ３、在圏セルの受信品質がＭｐ３であるとき、端末装置１は、測定イベント評価時間（ＴＴＴ）で示される時間連続してＭｎ３＞Ｍｐ３となったかどうかを評価する。Ｍｎ３の測定結果は、ＲＳＲＰまたはＲＳＲＱで示される。
【０１２６】
第４の条件について、周辺セルの受信品質がＭｎ４であり、Ｍｎ４に対する閾値がＴＨであるとき、端末装置１は、測定イベント評価時間（ＴＴＴ）で示される時間連続してＭｎ４＞ＴＨとなったかどうかを評価する。Ｍｎ４の測定結果は、ＲＳＲＱで示される。
【０１２７】
また、第４の条件は別の形態であってもよい。例えば、第４の条件について、在圏セルの受信品質がＭｐ４であり、Ｍｐ４に対する閾値がＴＨであるとき、端末装置１は、測定イベント評価時間（ＴＴＴ）で示される時間連続してＭｐ４＜ＴＨとなったかどうかを評価する。Ｍｐ４の測定結果は、ＲＳＲＱで示される。第４の条件を加えることによって、端末装置１は、セル間の下りリンクリファレンスシグナルの受信電力の大きさだけではなく、実際のセルの受信品質についても評価を行うことが可能となり、受信電力が良好であるが品質の悪いセルへのハンドオーバーが抑止されことになる。
【０１２８】
端末装置１は、第３の条件と第４の条件が共に満たされたときに、測定イベント条件が成立したと判断し、測定イベントの成立を基地局装置２に対して報告する。また、端末装置１は、第３の条件または第４の条件のどちらか一方が条件を満たさなくなったときに、測定イベント条件が不成立になったと判断し、測定イベントの不成立を基地局装置２に対して報告する。
【０１２９】
第３の条件と第４の条件を含む測定イベント条件は、在圏セルのセル種別がスモールセルである場合に適用される。または、第３の条件と第４の条件を含む測定イベント条件は、在圏セルのセル種別がスモールセルであり、かつ、端末装置１の移動速度情報が高速である場合に適用される。または、第３の条件と第４の条件を含む測定イベント条件は、周辺セルのセル種別がマクロセルである場合に適用される。または、第３の条件と第４の条件を含む測定イベント条件は、周辺セルのセル種別がマクロセルであり、かつ、端末装置１の移動速度情報が高速である場合に適用される。または、第３の条件と第４の条件を含む測定イベント条件は、在圏セルと周辺セルのセル種別が異なる場合に適用される。または、第３の条件と第４の条件を含む測定イベント条件は、在圏セルと周辺セルのセル種別が異なる場合で、かつ、端末装置１の移動速度情報が高速である場合に適用される。
【０１３０】
端末装置１は、基地局装置２から受信した測定設定の報告設定情報(Reporting configuration)において、第１の条件および第２の条件、または、第３の条件および第４の条件が設定されていた場合、設定に基づいて測定イベント条件の評価を開始する。
【０１３１】
このように構成することよって、端末装置１は、セルの種別に基づいて追加の測定イベント条件を用いた測定品質の評価が可能となるため、ヘテロジニアスネットワークに対応した効率的な測定を行うことができ、基地局装置２へ報告するセルが適切に判断される。すなわち、端末装置１は、マクロセルに在圏している場合、受信品質の悪いスモールセルに対する測定イベント条件の成立が抑制され、高速移動中にマクロセルからスモールセルへハンドオーバーすることによるハンドオーバー失敗確率を低減することができる。また、端末装置１は、スモールセルに在圏している場合、受信品質の悪いマクロセルに対する測定イベント条件の成立が推進され、高速移動中にスモールセルからマクロセルへハンドオーバーすることによるハンドオーバー失敗確率を低減することができる。
【０１３２】
本実施形態の端末装置１は、自装置の状態に応じて追加の測定イベント条件を用いることによって、測定イベント条件をマクロセル以外のセルが配置されるネットワーク（ヘテロジニアスネットワーク）に対応させることが可能となる。また、本実施形態の基地局装置２は、端末装置１に対して追加の測定イベント条件に関する情報を測定設定で送信することによって、測定イベント条件をマクロセル以外のセルが配置されるネットワークに対応させることが可能となる。
【０１３３】
第２の実施形態によれば、端末装置１は、基地局装置２から設定された情報に基づいて自装置の状態に応じて追加の測定イベント条件の評価を行うことによって、基地局装置２へハンドオーバー先のセルとして相応しくないセルを報告する可能性を低減することができる。また、基地局装置２は、端末装置１に対して自局装置の周辺セルの環境に基づいた効率的な測定イベント条件の評価を実行させることが可能となるため、端末装置１がハンドオーバー先のセルとして相応しくないセルを報告してくる可能性を低減させることができる。そのため、端末装置１がハンドオーバー先のセルへアクセスする際のハンドオーバー成功確率が向上し、通信品質を向上することができる。
【０１３４】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、下りリンクの測定値は、パスロスや、それ以外の測定値（ＳＩＲ、ＳＩＮＲ、ＲＳＲＰ、ＲＳＲＱ、ＲＳＳＩ、ＢＬＥＲ）を代わり用いても良いし、これらの測定値の複数を組み合わせて使用することも可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１３５】
また、前述した実施形態の端末装置１は、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置などにも適用できる。端末装置は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１３６】
また、説明の便宜上、実施形態の端末装置１および基地局装置２を機能的なブロック図を用いて説明したが、端末装置１および基地局装置２の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１３７】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１３８】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、前述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１３９】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１４０】
また、上記プログラムは、前述した機能の一部を実現するためのものであっても良く、さらに、前述した機能をコンピュータシステムに既に記録されているプログラムとの組み合わせで実現できるものであっても良い。
【０１４１】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または前述した各回路は、デジタル回路で構成されていてもよいし、アナログ回路で構成されていてもよい。
【０１４２】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１４３】
以上、この発明の実施形態について特定の具体例に基づいて詳述してきたが、本発明の各実施形態の趣旨ならびに特許請求の範囲は、これら特定の具体例に限定されないことは明らかである。すなわち、本明細書の記載は例示説明を目的としたものであり、本発明の各実施形態に対して何ら制限を加えるものではない。
【符号の説明】
【０１４４】
１…端末装置
２…基地局装置
１０１、２０１…受信部
１０２、２０２…復調部
１０３、２０３…復号部
１０４…測定処理部
１０５、２０４…制御部
１０６…上りリンクバッファ制御部
１０７、２０５…符号部
１０８、２０６…変調部
１０９、２０７…送信部
１１０…上りリンク無線リソース要求制御部
１１１…ランダムアクセス制御部
１１２、２０８…上位レイヤ
２０９…ネットワーク信号送受信部
３０１…周辺セル情報管理部
３０２…測定パラメータ管理部
３０３…測定イベント評価部
【図１】
2014146865.tif 000003
【図２】
2014146865.tif 000004
【図３】
2014146865.tif 000005
【図４】
2014146865.tif 000006